(57)【要約】　　　（修正有）【課題】熱交換器フィンの腐食が極めて小さく、かつ熱交換器フィンに付着した汚れを強力に洗浄できる熱交換器フィン用洗浄剤を提供する。【解決手段】下記の一般式（Ｉ）で表される化合物及び一般式（ＩＩ）で表される化合物よりなる群から選択される１種類以上のアミンオキシド１〜１０重量％と、炭酸ナトリウム、炭酸カリウム、ケイ酸ナトリウム、ケイ酸カリウム、アンモニア、モノエタノールアミン、ジエタノールアミン、モルホリン、２−アミノ−２−メチル−１−プロパノールから選ばれるアルカリ剤０．１〜５重量％と、水とを含有する、手動式スプレーにより起泡させて対象面に付着させて使用される熱交換器フィン用洗浄剤。2004002861.tif 000006〔式中、Ｒ１は炭素数４〜１８の炭化水素基、Ｒ２、Ｒ３はそれぞれ独立して、炭素数１〜５のアルキル基、Ｒ４は炭素数３〜１７の炭化水素基、ｎは１〜５の数を意味する。〕【選択図】　なし【特許請求の範囲】
【請求項１】
下記の一般式（Ｉ）で表される化合物及び一般式（ＩＩ）で表される化合物よりなる群から選択される１種類以上のアミンオキシド１〜１０重量％と、炭酸ナトリウム、炭酸カリウム、ケイ酸ナトリウム、ケイ酸カリウム、アンモニア、モノエタノールアミン、ジエタノールアミン、モルホリン、２−アミノ−２−メチル−１−プロパノールから選ばれるアルカリ剤０．１〜５重量％と、水とを含有する、手動式スプレーにより起泡させて対象面に付着させて使用される熱交換器フィン用洗浄剤。
【化１】
2004002861.tif 000005
〔式中、Ｒ１は炭素数４〜１８の炭化水素基、Ｒ２、Ｒ３はそれぞれ独立して、炭素数１〜５のアルキル基、Ｒ４は炭素数３〜１７の炭化水素基、ｎは１〜５の数を意味する。〕
【請求項２】
２０℃におけるｐＨが７〜１３である請求項１に記載の熱交換器フィン用洗浄剤。
【発明の詳細な説明】
【０００１】
【発明の属する技術分野】
本発明は室内空調設備に代表される、空気などの加熱又は冷却に使用される熱交換器フィンに付着した汚れを除去する洗浄剤の組成に関する。ここでいう熱交換器フィンとは厚さが０．１ｍｍ程度の薄い金属の板（アルミニウム等）が正面に対して垂直方向に、１ｍｍ程度の間隔で無数に並べられたものを指す。
【０００２】
【従来の技術】
熱交換器フィンは室内においてよく見られる汚れ（油やほこり、タバコのヤニなど）の付着によりその表面が汚染される。そして、最近の室内空調設備に取り付けられている熱交換器フィンには、結露水の排水を促進させるために表面に親水化処理を施しているものが多く見られるが、上述した汚れの付着により表面が撥水性となるため結露水の排水が阻害され易くなる。この結果、空気の循環効率が悪くなり冷却効率が低下する。さらに汚れを長期間放置させた場合には、汚れの上にカビや細菌などが繁殖するため、空調器を始動させた場合にカビや細菌などが空間に放出されることが懸念される。
【０００３】
このような熱交換器フィン上に付着した汚れを除去する洗浄剤として、以下のような先行技術が知られている。例えば、特開平８−１５７８９９号公報には、熱交換器フィンに対して噴霧された洗浄液がフィンに付着した後に発泡し、その発泡した洗浄液がフィンの間に長時間保持されることにより洗浄力を高めることを特徴としたエアゾール式の洗浄剤が、特開平１０−１４０１９６号公報には、カルボキシエチルチオコハク酸塩、界面活性剤、テルペノイドを含有し、フィンを腐食させることなく洗浄可能とすることを特徴とした洗浄剤が、特開平１１−９２７９５号公報には、界面活性剤を洗浄成分として含有し、チアゾロン系・クロロフェノール系・第４級アンモニウム塩系の殺菌剤を配合させることにより、微生物やカビを殺菌させることを特徴とするエアゾール式の洗浄剤が、特開平１１−１５２４９８号公報には、非イオン系界面活性剤、リモネン、低級アルコール類を含有し、溶液を中性にすることにより金属を腐食させることなく洗浄可能とすることを特徴とするエアゾール式の洗浄剤が開示されている。
【０００４】
【発明が解決しようとする課題】
しかしながら従来の洗浄剤では熱交換器フィン上に付着した汚れを完全に除去させることができず、中には洗浄後にフィンを腐食させるようなものもある。さらに、ＡＢＳ樹脂やポリスチロール樹脂等、熱交換器の本体を構成するプラスチック類に割れを発生させる洗浄剤も認められ、そのような洗浄剤を使用した場合には、結露水を受けるために付属されているプラスチック製のトレーに割れを発生させることが確認されている。
【０００５】
本発明の課題は、熱交換器フィンの腐食やプラスチックの損傷が極めて小さく、かつ熱交換器フィンに付着した汚れを強力に洗浄できる熱交換器フィン用洗浄剤を提供することである。
【０００６】
【課題を解決するための手段】
本発明は、下記の一般式（Ｉ）で表される化合物及び一般式（ＩＩ）で表される化合物よりなる群から選択される１種類以上のアミンオキシド１〜１０重量％と、炭酸ナトリウム、炭酸カリウム、ケイ酸ナトリウム、ケイ酸カリウム、アンモニア、モノエタノールアミン、ジエタノールアミン、モルホリン、２−アミノ−２−メチル−１−プロパノールから選ばれるアルカリ剤０．１〜５重量％と、水とを含有する、手動式スプレーにより起泡させて対象面に付着させて使用される熱交換器フィン用洗浄剤に関する。
【０００７】
【化２】
2004002861.tif 000002
【０００８】
〔式中、Ｒ１は炭素数４〜１８の炭化水素基、好ましくは炭素数４〜１４のアルキル基であり、Ｒ２、Ｒ３はそれぞれ独立して、炭素数１〜５のアルキル基、Ｒ４は炭素数３〜１７の炭化水素基、ｎは１〜５の数を意味する。〕
【０００９】
【発明の実施の形態】
本発明の洗浄剤の必須成分は上記一般式（Ｉ）で表される化合物及び一般式（ＩＩ）で表される化合物の一種類以上の化合物（以下（ａ）成分という）である。一般式（Ｉ）中、好ましいＲ１は炭素数８〜１４で、配合適正及び洗浄力の面からＲ２、Ｒ３はメチル基が好ましい。一般式（ＩＩ）中、好ましいＲ４は炭素数７〜１３で、洗浄力の面からｎは３が、Ｒ２、Ｒ３はメチル基が好ましい。（ａ）成分としては洗浄力と基材損傷性の点から一般式（ＩＩ）の化合物を使用することがより好ましい。
【００１０】
一般式（Ｉ）で表される化合物の具体例としてはブチルジメチルアミンオキシド、ヘキシルジメチルアミンオキシド、オクチルジメチルアミンオキシド、デシルジメチルアミンオキシド、ドデシルジメチルアミンオキシドなどが挙げられる。
【００１１】
一般式（ＩＩ）で表される化合物の具体例としてはブチル酸アミドプロピルジメチルアミンオキシド、カプロン酸アミドプロピルジメチルアミンオキシド、カプリル酸アミドプロピルジメチルアミンオキシド、カプリン酸アミドプロピルジメチルアミンオキシド、ラウリン酸アミドプロピルジメチルアミンオキシド等が挙げられる。
【００１２】
これらの中で好ましいアミンオキシドはデシルジメチルアミンオキシド、ドデシルジメチルアミンオキシド、カプリン酸アミドプロピルジメチルアミンオキシド、ラウリン酸アミドプロピルジメチルアミンオキシドである。
【００１３】
本発明の洗浄剤は（ａ）成分を０．１〜２０重量％含有することが好ましく、より好ましくは１〜１０重量％である。
【００１４】
本発明の洗浄剤には、２０℃におけるｐＨを７以上にするためにアルカリ剤（以下、（ｂ）成分という）を配合することが好ましい。アルカリ剤としては、炭酸ナトリウム、炭酸カリウム等の炭酸塩、オルトケイ酸ナトリウム、メタケイ酸ナトリウム、２号ケイ酸ナトリウム、ケイ酸カリウム、等のケイ酸塩、下記一般式（ｂ１）〜（ｂ４）で表されるアミン化合物、２−アミノ−２−メチル−１−プロパノール等が挙げられ、その他、弱酸と強塩基であってもよい。
【００１５】
【化３】
2004002861.tif 000003
【００１６】
〔式中、Ｒ５、Ｒ８、Ｒ１０、Ｒ１２、Ｒ１４、Ｒ１６、Ｒ１７はそれぞれ水素原子又は炭素数１〜４のアルキル基を示し、Ｒ６、Ｒ７、Ｒ９、Ｒ１１、Ｒ１３、Ｒ１５はそれぞれ水素原子、炭素数１〜４のアルキル基又は炭素数２〜３のヒドロキシアルキル基を示す。〕
これらの中で、（ａ）成分との併用で基材の損傷性が極めて小さく、洗浄力の向上効果の高い、炭酸ナトリウム、炭酸カリウム、ケイ酸ナトリウム、ケイ酸カリウム、アンモニア、モノエタノールアミン、ジエタノールアミン、モルホリン、２−アミノ−２−メチル−１−プロパノールが好ましい。
【００１７】
本発明の洗浄剤は（ｂ）成分を０．０１〜５重量％含有することが好ましく、より好ましくは０．１〜１重量％である。
【００１８】
本発明の洗浄剤は、その他任意の成分としてエタノール、プロパノールに代表されるアルコール類、エチレングリコール、プロピレングリコール、グリセリン等に代表されるポリオール系溶剤を、本発明の性能を阻害しない又は向上させる範囲で、任意の量を含有することが可能である。
【００１９】
本発明の洗浄剤は、その他任意の成分として、界面活性剤、防菌・防カビ剤、色素、香料等を本発明の性能を阻害しない範囲で任意の量を含有することが可能である。
【００２０】
本発明の洗浄剤の形態は、残部を水とする液体であり、洗浄力を高め、基材への損傷を低減する点で、２０℃におけるｐＨが７〜１３、更に７．５〜１３、特に８〜１１であることが好ましい。
【００２１】
本発明の洗浄剤は、ＬＰＧ等の噴射剤を使用したエアゾール式の噴霧方法の他に、噴射剤を用いない手動式のスプレー容器による噴霧方法に使用できる。特に後者の手動式スプレーにより起泡させて対象面に付着させることが好ましい。本発明でいう手動式スプレー装置とは噴射剤を使用せず、且つ手動の加圧によりスプレーすることができるものを指し、トリガー式又はポンプ式と呼ばれるものが挙げられる。本発明ではトリガー式が好ましく、特に実開平４−１７８５５号公報、実開平４−３７５５４号公報、特開平８−８４９４５号公報及び特開平９−１２２５４７号公報記載の蓄圧機構を備えたトリガー式のスプレー装置が、液のボタ落ち防止やスプレー特性の点からより好ましい。
【００２２】
手動式のスプレー容器を用いる場合、一回の排出量は、好ましくは０．１〜１．２ｇ、より好ましくは０．２〜１．０ｇ、最も好ましくは０．２５〜０．８ｇであり、さらには、洗浄対象面から１５ｃｍ離れた場所から噴霧した時、一回の噴霧で洗浄対象面に該洗浄剤が付着する面積が、好ましくは５０〜８００ｃｍ２、より好ましくは１００〜６００ｃｍ２になるスプレー特性を有するものがよい。
【００２３】
【発明の効果】
本発明の洗浄剤は、従来の洗浄剤では除去することが困難であった熱交換器フィン上に付着した汚れを効率よく洗浄し、かつ熱交換器フィンの腐食や熱交換器の本体を構成するプラスチックに対する損傷が極めて小さい熱交換器フィン用洗浄剤である。
【００２４】
【実施例】
表１に示す洗浄剤を調製し、以下の評価を行った。結果を表１に示す。
【００２５】
（１）モデルヤニ汚れ洗浄力
４０枚のアルミ板（７６ｍｍ×２６ｍｍ×１ｍｍ）に５本分のタバコの煙を強制的に接触させ、半日放置したものをモデルヤニ汚れとした。脱脂綿（１０ｍｍ×５ｍｍ×３ｍｍ）をモデルヤニ汚れ上にのせ、その上から洗浄液を０．５ｇ滴下させ、１分間湿布した後にイオン交換水によって洗浄液を流し、除去されたヤニ汚れ部分の面積から洗浄率を求めた。洗浄率は、各洗浄剤につき、任意に抽出した１０枚のモデルヤニ汚れについて測定し、その平均値で以下の基準に従って洗浄力の評価を行った。
５点…洗浄率８０％以上１００％以下
４点…洗浄率６０％以上８０％未満
３点…洗浄率４０％以上６０％未満
２点…洗浄率２０％以上４０％未満
１点…洗浄率０％以上２０％未満。
【００２６】
（２）モデル油汚れ洗浄力
アルミ板（７６×２６×１ｍｍ）上に、一般家庭でてんぷらの製造に使用したサラダ油を１０ｍｇ／ｃｍ２塗布し３ヶ月室温で放置したものを、モデル油汚れとした。このモデル油汚れに対し、トリガー式スプレー容器に充填した洗浄液をおよそ１ｇスプレーして２０秒間放置させた後の洗浄力を前記（１）同様に評価した。
【００２７】
（３）プラスチック損傷性
ＡＢＳ樹脂板（７０ｍｍ×１０ｍｍ×１ｍｍ）及びポリスチロール樹脂板（７０ｍｍ×１０ｍｍ×１ｍｍ）の７０ｍｍの長辺を６８ｍｍになるように長手中央付近で曲げて応力を加えた。脱脂綿（１０ｍｍ×５ｍｍ×３ｍｍ）を上述した基板上にのせ、その上から洗浄剤を０．５ｇ滴下し、１週間（２０℃又は６０℃）湿布させた後に以下の基準に従って目視により損傷性の評価を行った。
◎：見かけ上の割れがなく、さらに強い応力を加えて曲げても割れることがない○：見かけ上の割れはないが、さらに強い応力を加えて曲げた場合にひびがわずかに発生する
△：見かけ上の割れはないが、さらに強い応力を加えて曲げた場合に割れが発生する
×：見かけ上の割れが認められる。
【００２８】
（４）アルミニウムの腐食
アルミ板（５０ｍｍ×２０ｍｍ×１ｍｍ）を洗浄液（２０℃又は６０℃）２００ｍｌに１４日間浸漬させた後にその重量変化を測定し、以下の基準に従って腐食の評価を行った。このとき、重量変化の絶対値が大きいものほど腐食が進行していることを示す。
○：重量変化が±１ｍｇ／ｃｍ２以下（腐食なし）
×：重量変化が±１ｍｇ／ｃｍ２以上（腐食あり）
【００２９】
【表１】
2004002861.tif 000004
【００３０】
（注）
・ポリオキシエチレンアルキルエーテル：平均炭素数１３の直鎖２級アルコールに、エチレンオキシドを平均７．０モル付加させたもの。
・ポリオキシエチレンラウリルエーテル硫酸ナトリウム：エチレンオキシド平均付加モル数４．０